(57)【要約】【課題】この発明は、不揮発性メモリに対する書き込みを効率化できる。【解決手段】この発明は、発行処理を行う場合、ＩＣカードに与えられた命令がカード内部の不揮発性メモリへの書き込み処理である場合、直接不揮発性メモリには書き込まずに一旦カード内のＲＡＭに書き込む。そして、不揮発性メモリに書き込むべきデータを全てＲＡＭに書き込んだ後、ＲＡＭ上のデータを不揮発性メモリにコピーするようにしたものである。【選択図】    図５
2004334744.tif 000002
【特許請求の範囲】
【請求項１】
外部機器からシリアル通信により供給される複数の命令に基づいてアプリケーションデータが不揮発性メモリに記憶され、この記憶されるアプリケーションにより処理を実行し、上記不揮発性メモリと同じメモリ空間を持つ揮発性メモリを有する携帯可能電子媒体において、
外部機器からの少なくとも１つずつの命令電文の実行結果を上記不揮発性メモリに記憶する状態で揮発性メモリに記憶する第１の記憶手段と、
一連の処理として実行されるすべての命令に対する上記第１の記憶手段による揮発性メモリへの記憶処理終了時に、上記揮発性メモリの記憶内容を上記不揮発性メモリに記憶する第２の記憶手段と、
を有することを特徴とする携帯可能電子媒体。
【請求項２】
上記第１の記憶手段による揮発性メモリへの記憶処理終了時が、外部機器から発行段階から運用段階に移行させる命令が送られてきた際であることを特徴とする請求項１に記載の携帯可能電子媒体。
【請求項３】
上記第１の記憶手段による揮発性メモリへの記憶処理終了時が、外部機器から特定の命令が送られてきた際であることを特徴とする請求項１に記載の携帯可能電子媒体。
【請求項４】
上記不揮発性メモリに複数のアプリケーションデータが記憶されるものであり、上記第１の記憶手段による揮発性メモリへの記憶処理終了時が、外部機器から複数のアプリケーションデータに対する全ての命令群が送られてきた際であることを特徴とする請求項１に記載の携帯可能電子媒体。
【請求項５】
上記不揮発性メモリのメモリ空間が、上記不揮発性メモリのページと称する記憶単位ごとの領域により構成されていることを特徴とする請求項１に記載の携帯可能電子媒体。
【請求項６】
上位装置と携帯可能電子媒体とがシリアル通信により接続され、上位装置からの発行用の複数の命令電文によりファイルとファイル制御情報を記憶する不揮発性メモリと上記不揮発性メモリと同じメモリ空間を持つ揮発性メモリとを有する携帯可能電子媒体の発行システムにおいて、
上記上位装置が、
携帯可能電子媒体の発行用の複数の命令電文を生成する生成手段と、
この生成手段により生成された少なくとも１つずつの命令電文を携帯可能電子媒体へ送信する送信手段とを有し、
上記携帯可能電子媒体は、
上記上位装置から供給される少なくとも１つずつの命令電文によりファイルとファイル制御情報を不揮発性メモリに記憶する状態で揮発性メモリに記憶する第１の記憶手段と、
一連の処理として実行されるすべての命令に対する上記第１の記憶手段による揮発性メモリへの記憶処理終了時に、上記揮発性メモリの記憶内容を上記不揮発性メモリに記憶する第２の記憶手段とを有する
ことを特徴とする携帯可能電子媒体の発行システム。
【請求項７】
上記第１の記憶手段による揮発性メモリへの記憶処理終了時が、外部機器から発行段階から運用段階に移行させる命令が送られてきた際であることを特徴とする請求項６に記載の携帯可能電子媒体。
【請求項８】
上記第１の記憶手段による揮発性メモリへの記憶処理終了時が、外部機器から特定の命令が送られてきた際であることを特徴とする請求項６に記載の携帯可能電子媒体。
【請求項９】
上記不揮発性メモリに複数のアプリケーションデータが記憶されるものであり、上記第１の記憶手段による揮発性メモリへの記憶処理終了時が、外部機器から複数のアプリケーションデータに対する全ての命令群が送られてきた際であることを特徴とする請求項６に記載の携帯可能電子媒体。
【請求項１０】
上記不揮発性メモリのメモリ空間が、上記不揮発性メモリのページと称する記憶単位ごとの領域により構成されていることを特徴とする請求項６に記載の携帯可能電子媒体。
【請求項１１】
上位装置と携帯可能電子媒体とがシリアル通信により接続され、上位装置からの発行用の複数の命令電文によりファイルとファイル制御情報を記憶する不揮発性メモリと上記不揮発性メモリと同じメモリ空間を持つ揮発性メモリとを有する携帯可能電子媒体の発行方法において、
上位装置により、携帯可能電子媒体の発行用の複数の命令電文を生成し、
この生成された少なくとも１つずつの命令電文を携帯可能電子媒体へ送信し、
上記上位装置から供給される少なくとも１つずつの命令電文によりファイルとファイル制御情報を不揮発性メモリに記憶する状態で揮発性メモリに記憶し、
一連の処理として実行されるすべての命令に対する上記揮発性メモリへの記憶処理終了時に、上記揮発性メモリの記憶内容を上記不揮発性メモリに記憶する
ことを特徴とする携帯可能電子媒体の発行方法。
【発明の詳細な説明】
【０００１】
【発明の属する技術分野】
この発明は、一般にＩＣカードと称される携帯可能な電子媒体をより高速化する技術に関する。
【０００２】
【従来の技術】
ＩＣカードは、その使用目的・用途に応じて、必要な鍵ファイルやデータファイル等をＩＣカード内部の不揮発性メモリ上に定義し、更にそれらのファイルにデータを書き込むことによって使用可能な状態になる。
この手順は一般に発行と呼ばれている。
【０００３】
ＩＣカードには、自身を発行するための命令を実行する機能が用意されており、通常は一つの命令実行により一つのファイルを定義したり、一単位のデータを書き込むことができる。
ＩＣカードの発行は、これらの命令を必要なファイルやデータの数だけ逐次実行することによってなされる。
【０００４】
したがって、ＩＣカードは一般に金融情報や個人情報など重要な情報を扱うことが多いため、内部に持つデータの信頼性やセキュリティが重視される。
このため、ＩＣカードでは与えられた命令の処理が完全に完結してから次の命令を受けて処理を行う逐次方式の処理を行っている。
また、ＩＣカードは一般に比較的低速のシリアル・インターフェースを介して外部から命令を受けたり命令に対する応答を返す。
【０００５】
現在は、外部機器と直接電気的に接続を行って通信する接触型と呼ばれるＩＣカードが一般的であるが、接触型ＩＣカードが外部と通信する速度は通常、毎秒９６００ビットでしかない。
更にＩＣカードはデータの記憶素子としてＥＥＰＲＯＭやフラッシュメモリなどの不揮発性メモリを用いているが、これらの素子は一回のデータ書き込みに数ｍＳから数百ｍＳの時間を要するという短所がある。
【０００６】
さて、ＩＣカード発行を行う場合においても、命令は一般に前述の通信方法によって実行され、内蔵された不揮発性メモリに多くのデータを書き込むことを繰り返す。
しかし、今日では様々な分野でＩＣカードが使われるようになってきたため、ＩＣカードが多機能化して一枚のカードで様々な機能を有するようになっている。
【０００７】
このために、ＩＣカード内に多くのファイル定義やデータの書込みを行わねばならないが、その一方で低速のインターフェースで発行のための命令を実行しているために、一枚のカードを発行するのに十分以上の時間を要することも珍しくない。
【０００８】
先行技術では、ＩＣカードの発行時間を短縮することを目的として、発行に必要な一連の命令が低速なシリアルインターフェースを介して伝送されているために通信時間がかかっていること、また各命令には伝送制御情報など発行に直接関係ない情報が少なからず含まれていること、更に複数の命令が不揮発性メモリの同一部分に対して書き込みを行う場合があることに着目し、発行に必要な一連の命令をＩＣカードが実行した結果としてＩＣカード内の不揮発性メモリに書き込まれる最終的なデータの内容を上位装置側でシミュレートし、その内容をＩＣカード内の不揮発性メモリに書き込むことでシリアルインターフェースの通信量と不揮発性メモリに対する書き込み回数を減らすことによる発行処理時間の大幅な短縮を期待している。
【０００９】
先行技術（引用文献１）では、ＩＣカードの発行制御を行う上位装置側でＩＣカード内の不揮発性メモリへの書き込みをシミュレートし不揮発性メモリ上の最終的なデータをＩＣカードに伝送・書き込むのに対して、本発明では上位装置側で特別な処理を行わず従来のＩＣカード発行命令群をＩＣカードに送り、ＩＣカード内部で前述のシミュレートと同等の処理を行った後不揮発性メモリに対する書き込みを行うことによって不揮発性メモリに対する書き込み処理の時間を削減し発行処理時間を短縮しようとするものである。
【００１０】
従来のＩＣカードおよび発行方法では、不揮発性メモリへのデータ書き込みがランダム行われ、また同一アドレスデータに対する複数回書き込み（書き換え）が発生することにより不揮発性メモリへの書き込みに要する時間が長くなり発行処理時間が長くなるという問題点があった。
また、先行技術では、ＩＣカードの上位装置側にＩＣカード内の不揮発性メモリに対する書き込み処理をシミュレートするための機能を持たせなければならないという問題があった。
【００１１】
【引用文献１】
特願２００２−１９０８８７
【発明が解決しようとする課題】
この発明は、上位装置と携帯可能電子媒体とがシリアル通信により接続され、上位装置から携帯可能電子媒体への一連の命令を送信することにより、携帯可能電子媒体を発行する際に、一連の命令を一旦揮発性メモリに記憶してから不揮発性メモリに記憶することにより、不揮発性メモリの最小記憶単位の同一領域に対するアクセス時間を短縮でき、上記一連の命令による送信時間を短縮することができ、発行処理時間の短縮が図れる携帯可能電子媒体の発行システム及び発行方法と携帯可能電子媒体を提供することを目的としている。
【００１２】
【課題を解決するための手段】
この発明の携帯可能電子媒体は、外部機器からシリアル通信により供給される複数の命令に基づいてアプリケーションデータが不揮発性メモリに記憶され、この記憶されるアプリケーションにより処理を実行し、上記不揮発性メモリと同じメモリ空間を持つ揮発性メモリを有するものにおいて、外部機器からの少なくとも１つずつの命令電文の実行結果を上記不揮発性メモリに記憶する状態で揮発性メモリに記憶する第１の記憶手段と、一連の処理として実行されるすべての命令に対する上記第１の記憶手段による揮発性メモリへの記憶処理終了時に、上記揮発性メモリの記憶内容を上記不揮発性メモリに記憶する第２の記憶手段とを有する。
【００１３】
この発明の携帯可能電子媒体の発行システムは、上位装置と携帯可能電子媒体とがシリアル通信により接続され、上位装置からの発行用の複数の命令電文によりファイルとファイル制御情報を記憶する不揮発性メモリと上記不揮発性メモリと同じメモリ空間を持つ揮発性メモリとを有するものにおいて、上記上位装置が、携帯可能電子媒体の発行用の複数の命令電文を生成する生成手段と、この生成手段により生成された少なくとも１つずつの命令電文を携帯可能電子媒体へ送信する送信手段とを有し、上記携帯可能電子媒体は、上記上位装置から供給される少なくとも１つずつの命令電文によりファイルとファイル制御情報を不揮発性メモリに記憶する状態で揮発性メモリに記憶する第１の記憶手段と、一連の処理として実行されるすべての命令に対する上記第１の記憶手段による揮発性メモリへの記憶処理終了時に、上記揮発性メモリの記憶内容を上記不揮発性メモリに記憶する第２の記憶手段とを有する。
【００１４】
【発明の実施の形態】
まず、この発明の着眼点について、説明する  。
【００１５】
この発明は、ＩＣカードの発行においては不揮発性メモリに対する書き込みが大量に発生し、不揮発性メモリに対する書き込みが低速であるが故に、当該書き込み処理がＩＣカード発行処理時間の内かなりの部分を占めることに着目し、不揮発性メモリに対する書き込みを効率化して書き込み処理時間を減らすことによりＩＣカードの発行に要する時間を短縮することを期待するものである。
【００１６】
一般に、ＩＣカードの不揮発性メモリにはＥＥＰＲＯＭやフラッシュメモリ等が使用されており、これらは通常「ページ書き込み」或いは「ブロック書き込み」等と称する機能を有し、ランダムなアドレスに対する書き込みよりも連続したアドレスに対する連続データの書き込みがより高速に行えるといった特徴を持つものである。
また同一のアドレスに対して複数回の書き込みを行うことを回避することも書き込み時間を短縮する有効な手段である。
この発明では、ＩＣカードの発行時に、上位装置側に新たな機能の追加等を行うことなく、ＩＣカード内部で不揮発性メモリに対する書き込み処理の効率化を行うことにより不揮発性メモリへの書き込み時間を短縮し、ＩＣカードの発行に要する時間を短縮することができるものである。
【００１７】
以下、図面を参照してこの発明のＩＣカード発行システムを説明する。
このＩＣカード発行システムは、図１に示すように、上位装置としてのパソコン（ＰＣ）１とこのＰＣ１と通信ライン２を介して接続されているリーダライタ３とからなる。このリーダライタ３には、図示しないコネクタ等で接続される取引対象カードとしてのＩＣカード４が装着されるようになっている。
【００１８】
ＰＣ１は、ＰＣ１の全体を制御する制御部５、制御用のプログラムが記憶されていたり種々のデータが記憶されるメモリ６、操作指示を行うキーボード等の操作部７、操作案内等が表示される表示部８、リーダライタ３とのデータのやり取りを行うインターフェース９により構成されている。
【００１９】
リーダライタ３は、リーダライタ３の全体を制御するＣＰＵ１０、制御用のプログラムが記憶されていたり種々のデータが記憶されるメモリ１１、ＰＣ１とのデータのやり取りを行うインターフェース１２、ＩＣカード４とのデータのやり取りを行うインターフェース１３により構成されている。また、リーダライタ３には、ＩＣカード４の挿入検知を行う検知器（図示しない）を有し、この検知結果をＰＣ１へ出力するようになっている。
【００２０】
ＩＣカード４は、図２に示すように、ＩＣカード４の全体を制御するＣＰＵ（制御素子）１４、カード内部動作の制御用のプログラムが記憶されているマスクＲＯＭ（プログラムメモリ）１５、外部（リーダライタ３）と交換する電文の送受信バッファとＣＰＵ１４の処理中のデータの一時格納バッファとして利用されるＲＡＭ（ワーキングメモリ、揮発性メモリ）１６、アプリケーション運用でその内容をリードライトして使用される運用データが格納されるデータメモリ（不揮発性メモリ、フラッシュメモリ、ＥＥＰＲＯＭ）１７、リーダライタ３とのデータのやり取りを行うインターフェース１８、コンタクト部１９により構成されている。ＲＯＭ（プログラムメモリ）１５は、３０Ｋから４０Ｋバイトで構成されている。個別アプリケーションプログラムとしては、一例として、銀行取引業務処理、クレジット取引業務処理、プリペイド取引業務処理となっている。
【００２１】
上記データメモリ１７は、「ページ書き込み」或いは「ブロック書き込み」等と称する機能を有し、ランダムなアドレスに対する書き込みよりも連続したアドレスに対する連続データの書き込みがより高速に行えるといった特徴を持つものである。上記データメモリ１７は、図３に示すように、８ページの領域１７ａ〜１７ｈにより構成されている。
【００２２】
上記ＲＡＭ１６には、上記データメモリ１７用の仮想データメモリ領域３０を有している。仮想データメモリ領域３０も図４に示すように、８ページの領域３０ａ〜３０ｈにより構成されている。
これにより、ＰＣ１とのデータのやり取りはこの仮想データメモリ領域３０を用いて行われ、この仮想データメモリ領域３０の更新内容に基づいて上記データメモリ１７の頁単位の書換えを行うことにより、ＰＣ１とのデータのやり取りで同じ頁への連続アクセスが生じても、処理時間がかからず、また仮想データメモリ領域３０の更新内容に基づいて上記データメモリ１７の頁単位の書換えを行う際には、同一ページに対するアクセス処理が１回だけなので、この際も無駄な時間が生じないようになっている。
【００２３】
上記ＩＣカード４は、比較的低速のシリアル・インターフェースを介して外部から命令を受けたり命令に対する応答を返すものであり、その速度は一般的な接触型ＩＣカードで通常、毎秒９６００ビットとなっている。
上記ＣＰＵ１４、ＲＯＭ１５、ＲＡＭ１６、データメモリ１７、インターフェース１８は、ＩＣチップ２０により構成され、コンタクト部１９およびＩＣチップ２０は一体的にモジュール化され、ＩＣカード本体に埋設されている。
【００２４】
次に、ＩＣカード４の発行処理における命令実行手順の例を、図５、図６に示すフローチャートを用いて説明する。
まず、ＰＣ１の制御部５はデータファイル（アプリケーションプログラム）Ａの定義情報にデータファイルＡの定義を示すコマンドＣ１が付与されている電文をリーダライタ３を介してＩＣカード４のＣＰＵ１４に送信する（ＳＴ１）。  これにより、ＩＣカード４のＣＰＵ１４は、供給されるデータファイルＡの定義情報を仮想データメモリ領域３０の領域３０ｈに登録する処理を行う（ＳＴ２）。
【００２５】
また、ＩＣカード４のＣＰＵ１４は、この登録処理の結果に対応する応答データを、リーダライタ３を介してＰＣ１の制御部５に送信する（ＳＴ３）。
【００２６】
ついで、ＰＣ１の制御部５は、供給される応答データが正常処理に対応するものである際（ＳＴ４）、データファイルＡのデータａの書き込みを示すコマンドＣ２とデータファイルＡのデータａとからなるコマンド電文をリーダライタ３を介してＩＣカード４のＣＰＵ１４に送信する（ＳＴ５）。
これにより、ＩＣカード４のＣＰＵ１４は、供給されるデータファイルＡのデータａを仮想データメモリ領域３０の領域３０ａに登録する処理を行う（ＳＴ６）。この際、ＩＣカード４のＣＰＵ１４は、データａを登録した際に、データの数やサイズあるいはその他の管理情報に基づいて、仮想データメモリ領域３０の領域３０ｈに登録されているデータファイルＡの定義情報の一部（Ａ’）を書き換える（ＳＴ７）。
【００２７】
また、ＩＣカード４のＣＰＵ１４は、このデータａの登録処理の結果に対応する応答データを、リーダライタ３を介してＰＣ１の制御部５に送信する（ＳＴ８）。
ついで、ＰＣ１の制御部５は、供給される応答データが正常処理に対応するものである際（ＳＴ９）、データファイルＡのデータｂの書き込みを示すコマンドＣ２とデータファイルＡのデータｂとからなるコマンド電文をリーダライタ３を介してＩＣカード４のＣＰＵ１４に送信する（ＳＴ１０）。
これにより、ＩＣカード４のＣＰＵ１４は、供給されるデータファイルＡのデータｂを仮想データメモリ領域３０の領域３０ａ、３０ｂに登録する処理を行う（ＳＴ１１）。この際、ＩＣカード４のＣＰＵ１４は、データｂを登録した際に、データの数やサイズあるいはその他の管理情報に基づいて、仮想データメモリ領域３０の領域３０ｈに登録されているデータファイルＡの定義情報の一部（Ａ’）を書き換える（ＳＴ１２）。
【００２８】
また、ＩＣカード４のＣＰＵ１４は、このデータｂの登録処理の結果に対応する応答データを、リーダライタ３を介してＰＣ１の制御部５に送信する（ＳＴ１３）。
ついで、ＰＣ１の制御部５は、供給される応答データが正常処理に対応するものである際（ＳＴ１４）、データファイルＡのデータｃの書き込みを示すコマンドＣ２とデータファイルＡのデータｃとからなるコマンド電文をリーダライタ３を介してＩＣカード４のＣＰＵ１４に送信する（ＳＴ１５）。
これにより、ＩＣカード４のＣＰＵ１４は、供給されるデータファイルＡのデータｃを仮想データメモリ領域３０の領域３０ｂ、３０ｃに登録する処理を行う（ＳＴ１６）。この際、ＩＣカード４のＣＰＵ１４は、データｃを登録した際に、データの数やサイズあるいはその他の管理情報に基づいて、仮想データメモリ領域３０の領域３０ｈに登録されているデータファイルＡの定義情報の一部（Ａ’）を書き換える（ＳＴ１７）。
【００２９】
また、ＩＣカード４のＣＰＵ１４は、このデータｃの登録処理の結果に対応する応答データを、リーダライタ３を介してＰＣ１の制御部５に送信する（ＳＴ１８）。
ついで、ＰＣ１の制御部５は、供給される応答データが正常処理に対応するものである際（ＳＴ１９）、データファイルＡに対する登録処理を終了する。
【００３０】
また、ＩＣカード４のＣＰＵ１４は、データファイルＡに対する登録処理の終了を判断した際、仮想データメモリ領域３０の領域３０ａ、〜３０ｈに登録されているデータを領域（ページ）単位で、データメモリ１７の領域１７ａ〜１７ｈに登録する（ＳＴ２０）。
【００３１】
このように、一旦、ＲＡＭの仮想データメモリ領域３０に記録してからデータメモリ１７へ登録するようにすることにより、たとえば、定義情報が記録される領域３０ｈに対して４回のデータ書き込みが生じているのに対して、定義情報が記録される領域１７ｈに対して１回のデータ書き込みで済む。
【００３２】
また、データａ、ｂ、ｃの書き込みに関しても、仮想データメモリ領域３０において、５ページ分の書き込みが発生しているが、データメモリ１７への書き込み時には、３ページ分の書き込みで済む。
【００３３】
上記したように、少なくともＣＰＵ、不揮発性メモリ、プログラムメモリ（ＲＯＭ）、作業用メモリ（ＲＡＭ）および外部機器とのシリアル・インターフェースによる通信手段を有するＩＣカードにおいて、発行処理を行う場合、ＩＣカードに与えられた命令がカード内部の不揮発性メモリへの書き込み処理である場合、直接不揮発性メモリには書き込まずに一旦カード内のＲＡＭに書き込む。不揮発性メモリに書き込むべきデータを全てＲＡＭに書き込んだ後、ＲＡＭ上のデータを不揮発性メモリにコピーすることにより、不揮発性メモリに対する書き込みを効率化（書き込み時間を削減）することができる。
【００３４】
これにより、ＩＣカード発行の際に、書き込みに時間がかかる不揮発性メモリに対する書き込みを効率化することにより、ＩＣカードの発行処理時間を大幅に短縮することができる。
【００３５】
また、ＩＣカードの発行において、命令が不揮発性メモリへの書き込み処理を伴う場合、書き込みデータを直接不揮発性メモリに書き込まず当該データを一旦ＲＡＭ上に書き込む。そして不揮発性メモリへの書き込みを伴う発行命令が全て実行された後でＲＡＭ上のデータを不揮発性メモリに書き込むものであっても良い。
【００３６】
また、ＲＡＭ上のデータを不揮発性メモリに書き込む処理は、ＩＣカードを発行段階から運用段階に移行させるための命令がＩＣカードに送られた時点以降に実行されるものであっても良い。
【００３７】
また、ＲＡＭ上のデータを不揮発性メモリに書き込む処理は、上位装置側から特定の命令がＩＣカードに送られた時点で実行されるものであっても良い。
さらに、ＩＣカードに独立した複数のアプリケーション（業務）機能を持たせる場合、個々のアプリケーション機能に関する発行命令群が全てＩＣカードに送られる毎に、上位装置側から特定の命令がＩＣカードに送られ、その時点でＲＡＭ上のデータを不揮発性メモリに書き込む処理が実行されるものであっても良い。
【００３８】
また、発行処理中において同一アドレスに対し複数回の書き込みが行われない用途として供されることが明白な不揮発性メモリ上の領域について、不揮発性メモリの書き込み単位（例えば「ページ」と称する領域）に対応するＲＡＭ領域にデータが全て書き込まれたことをカードが検知したら、その領域のデータを不揮発性メモリに書き込む処理を行うものであっても良い。
【００３９】
【発明の効果】
以上詳述したようにこの発明によれば、上位装置と携帯可能電子媒体とがシリアル通信により接続され、上位装置から携帯可能電子媒体への一連の命令を送信することにより、携帯可能電子媒体を発行する際に、一連の命令を一旦揮発性メモリに記憶してから不揮発性メモリに記憶することにより、不揮発性メモリの最小記憶単位の同一領域に対するアクセス時間を短縮でき、上記一連の命令による送信時間を短縮することができ、発行処理時間の短縮が図れる携帯可能電子媒体の発行システム及び発行方法と携帯可能電子媒体を提供できる。
【図面の簡単な説明】
【図１】この発明の実施の形態に係るＩＣカード発行システムの構成例を概略的に示すブロック図。
【図２】ＩＣカードの構成例を概略的に示すブロック図。
【図３】ＩＣカードのデータメモリの各領域を説明するための図。
【図４】仮想データメモリ領域の各領域を説明するための図。
【図５】カードの発行処理を説明するフローチャート。
【図６】カードの発行処理を説明するフローチャート。
【符号の説明】
１…ＰＣ、２…通信ライン、３…リーダライタ、４…ＩＣカード、５…制御部、６…メモリ、７…操作部、８…表示部、９…インターフェース、１０…ＣＰＵ、１１…メモリ、１４…ＣＰＵ、１５…ＲＯＭ、１６…ＲＡＭ、１７…データメモリ、１７ａ〜１７ｈ…領域、１９…コンタクト部、２０…ＩＣチップ、３０…仮想データメモリ領域、３０ａ〜３０ｈ…領域。
【図１】
2004334744.tif 000003
【図２】
2004334744.tif 000004
【図３】
2004334744.tif 000005
【図４】
2004334744.tif 000006
【図５】
2004334744.tif 000007
【図６】
2004334744.tif 000008